(57)【要約】光ディスクドライブ７００は、光ディスク１００を回転させるスピンドルモータ７０６と、光ディスク１００のラベル領域１０６のコーティングに画像１１８を施すように構成されたＯＰＵ７１０とを含んでなる。エンコーダ４０６が、光ディスク１００上に画定されたラベル領域１０６とは別個の領域にある光ディスク１００上のディスク速度特徴部１１２をトラッキングするように構成される。ディスク速度特徴部１１２をトラッキングすることによって、エンコーダ４０６は、ラベル領域１０６に画像を施す際に用いるディスク速度データを取得する。
2006511034.tif 000002
【特許請求の範囲】
【請求項１】
光ディスクを回転させるスピンドルモータと、
該光ディスクのラベル領域のコーティングに画像を施すＯＰＵと、
該ラベル領域とは別個の領域にある前記光ディスク上のディスク速度特徴部をトラッキングして、ディスク速度データを得るように構成されたエンコーダと
を含んでなる光ディスクドライブ。
【請求項２】
前記エンコーダは、前記ラベル領域とは別個の前記領域に形成されるディスク角度方向特徴部をトラッキングするようにさらに構成される請求項１に記載の光ディスクドライブ。
【請求項３】
前記ＯＰＵは、前記ラベル領域内に画定されるディスク角度方向特徴部をトラッキングするようにさらに構成される請求項１に記載の光ディスクドライブ。
【請求項４】
前記画像を施す間に前記エンコーダからのディスク速度データを前記ＯＰＵと調整する制御手順をさらに含む請求項１に記載の光ディスクドライブ。
【請求項５】
光ディスクをラベル付けするプロセッサ実行可能な命令を含むプロセッサ読み取り可能な媒体であって、該プロセッサ実行可能な命令は、
前記光ディスクの角速度を調整するよう光ディスクドライブ内のスピンドルモータを制御する命令と、
ディスク速度データを生成するために、前記光ディスクが前記スピンドルモータによって回転されている間に前記光ディスク上に画定されるディスク速度特徴部を検知した結果として生成されるエンコーダの出力信号を解釈する命令と、
前記ディスク速度データに従って動作されるＯＰＵにより、前記光ディスクのコーティングをマーキングする命令と
を含んでなるプロセッサ読み取り可能な媒体。
【請求項６】
ディスク角度方向データを生成するために、前記ＯＰＵによりディスク角度方向特徴部をトラッキングする命令と、
該ディスク角度方向データを用いて前記コーティングをマーキングする命令と
をさらに含む請求項５に記載のプロセッサ読み取り可能な媒体。
【請求項７】
ディスク角度方向データを生成するために、前記エンコーダによりディスク角度方向特徴部をトラッキングする命令と、
該ディスク角度方向データを用いて前記コーティングをマーキングする命令と
をさらに含む請求項５に記載のプロセッサ読み取り可能な媒体。
【請求項８】
前記制御する命令は、所望の速度を維持するために、前記ディスク速度データを処理して、前記スピンドルモータの速度を上げるべき場合と下げるべき場合とを判定する命令を含む請求項５に記載のプロセッサ読み取り可能な媒体。
【請求項９】
前記解釈する命令は、前記エンコーダから受信した第１および第２の信号を分別する命令を含み、該第１および第２の信号は形成された前記ディスク速度特徴部の有無に対応する光反射の違いの結果として生じるものである、請求項５に記載のプロセッサ読み取り可能な媒体。
【請求項１０】
前記解釈する命令は、前記エンコーダから受信した第１および第２の信号を分別する命令を含み、該第１の信号は鏡面により光が反射された結果として生じるものであり、前記第２の信号は鋸歯状特徴部により光が反射された結果として生じるものである、請求項５に記載のプロセッサ読み取り可能な媒体。
【請求項１１】
前記解釈する命令は、前記エンコーダから受信した第１および第２の信号を分別する命令を含み、該第１の信号は鏡面により光が反射された結果として生じるものであり、前記第２の信号は形成ピットにより光が反射された結果として生じるものである、請求項５に記載のプロセッサ読み取り可能な媒体。
【請求項１２】
前記解釈する命令は、前記出力信号を分別する命令を含み、該出力信号は、前記ディスクのラベル側の前記コーティングに隣接する鏡面に画定された領域の光反射性レベルに関連するものである、請求項５に記載のプロセッサ読み取り可能な媒体。
【請求項１３】
スピンドルモータが光ディスクを回転させる速度を制御する手段と、
該スピンドルモータにより該光ディスクを回転させている間に、前記光ディスク上に画定されるディスク速度特徴部をトラッキングしてディスク速度データを収集する手段と、
該ディスク速度データに従って前記光ディスクにラベルを施す手段と
を含んでなる光ディスクドライブ。
【請求項１４】
ディスク角度方向特徴によって定義されるディスク角度方向データをＯＰＵによりトラッキングする手段と、
該ディスク角度方向データを前記ラベルを施す手段に伝えて、所望の角度方向を有する画像を前記光ディスクのコーティング上に生成する手段と
をさらに含む請求項１３に記載の光ディスクドライブ。
【請求項１５】
ＯＰＵが到達することのできる前記光ディスク上のエリアの半径方向内側に配置される形成されたディスク角度方向特徴部をエンコーダによりトラッキングして、ディスク角度方向データを生成する手段と、
前記光ディスクのコーティングをマーキングする際に前記ディスク角度方向データを用いる手段と
をさらに含む請求項１３に記載の光ディスクドライブ。
【請求項１６】
エンコーダからの前記ディスク速度データを処理して、前記スピンドルモータの速度を上げるべき場合と下げるべき場合とを判定する手段をさらに含む請求項１３に記載の光ディスクドライブ。
【請求項１７】
前記ディスク速度データを収集する手段は、エンコーダから受信した第１および第２の信号を分別する手段を含み、該第１および第２の信号は、形成された前記ディスク速度特徴部の有無に対応する光反射の違いの結果として生じるものである請求項１３に記載の光ディスクドライブ。
【請求項１８】
前記ディスク速度データを収集する手段は、エンコーダから受信した第１および第２の信号を分別する手段を含み、該第１の信号は鏡面により光が反射された結果として生じるものであり、前記第２の信号は鋸歯特徴により光が反射された結果として生じるものである、請求項１３に記載の光ディスクドライブ。
【請求項１９】
前記ディスク速度データを収集する手段は、エンコーダから受信した第１および第２の信号を分別する手段を含み、該第１の信号は鏡面により光が反射された結果として生じるものであり、前記第２の信号は形成ピットにより光が反射された結果として生じるものである、請求項１３に記載の光ディスクドライブ。
【請求項２０】
前記ディスク速度データを収集する手段は、前記ディスクのコーティングに隣接する鏡面に画定された領域の光反射性レベルに関連するエンコーダセンサ出力を分別する手段を含む請求項１３に記載の光ディスクドライブ。
【発明の詳細な説明】
【技術分野】
【０００１】
［背景］
ＣＤは、長さ約５．６ｋｍ（約３．５マイル）の長い螺旋状のデータトラックを有する。このひと続きのデータトラックは、ディスクの中心部分を起点とし、ディスクの外側部分に向かって螺旋状に広がる。データは、ポリカーボネートプラスチックディスクの上面に特徴（feature：または機構）を形成することによって形成される。このような特徴の寸法は、ＣＤとＤＶＤとで異なる場合があるものの、直径約０．５〜１．２ミクロンでありうる。ＣＤ上の長いひと続きのデータ螺旋の隣接するリングの中心線は約１．６ミクロン分離している場合がある。ひと続きのデータ螺旋内のデータ特徴は、上から見ると「ピット（pit：穴）」のように見えるが、下から見ると「バンプ（bump：突起）」である。データ読み取り処理中は、光ディスクドライブの光ピックアップユニット（optical pick-up unit：以下、「ＯＰＵ」とよぶ）がバンプを下から見ることになる。ピットを形成したポリカーボネートプラスチックディスクの上面は、アルミニウム層により被覆され、アクリル層および最後にラベルにより被覆される。
【０００２】
ＣＤからデータを読み出す処理中に、ドライブモータがディスクを回転させる。ドライブモータは、読み出しているのが螺旋の外側部分であるか内側部分であるかに応じてそれぞれ２００〜５００ｒｐｍで正確にディスクを回転させることができる。データがＯＰＵに伝わる角速度は微調整されて、ＯＰＵがデータを読み取る速度を一定に維持する。例えば、速すぎるかまたは遅すぎる速度でデータが読み取られている場合には、それに応じてスピンドルモータにわずかな変更を行い、所望のディスク回転速度にほぼ近づける（nearly approximate）ことができる。このようなフィードバックを用いて、トラック上の読み出し位置がディスクの中心から次第に離れるにつれて、ディスクの回転速度を徐々に下げることができる。
【０００３】
レーザとレンズ系とセンサとを通常含み、ＯＰＵを保持しているスレッドは、データを読み出す際に内側の位置から外側の位置へと移動する。スレッドモータがＯＰＵを保持するスレッドの移動を案内して、レーザのビームが、ＣＤに形成された螺旋状のデータトラックを、読み出し中の螺旋部分の下の位置から辿ることができるようにする。螺旋内のデータ要素の寸法は非常に小さいため、トラッキング機構の精度は重要である。
【０００４】
スレッドモータは補助なしでは、所望のデータ螺旋部分の下にＯＰＵを適切に位置決めするために必要な精度を達成することができない。したがって、トラッキングセンサが、スレッドモータにフィードバックを常時供給する。フィードバックは、センサが観測したデータトラックの螺旋の正確な位置に基づくものでありうる。
【０００５】
トラッキングセンサを用いても、トラッキング機構の精度は完全に十分ではない場合がある。ＯＰＵの精度をさらに良い許容値内とするために、ＯＰＵのレーザをわずかに偏向（deflection：または偏位）させることのできる偏向機構の動作を調整するための偏向センサが必要な場合がある。必要であれば、レーザにわずかな角度を付けることにより、ＯＰＵを保持するスレッドのわずかな位置誤差を偏向機構が補償するようにしてもよい。偏向センサおよび関連回路部は、スレッドよりも質量がはるかに小さい要素をはるかに小さな距離にわたって移動させるため、偏向機構はＯＰＵの動作を微調整することができる。
【０００６】
ＯＰＵは光ディスクからデータを読み出すために通常用いられるが、最近の進歩により、ＯＰＵは適切なコーティングが施されたＣＤラベルに画像を施すことができるようになっている。ＣＤの上下を逆さにしてＣＤドライブに入れることによって画像を施すことができる。ＣＤの上下を逆さにしているため、ＯＰＵ内のレーザとの接触によりコーティングを活性化させることができる。コーティング中に含まれる化学物質がレーザの印加により活性化された結果、画像が形成される。
【０００７】
残念ながら、ラベルに画像を施す処理中に、ＯＰＵを正確に位置決めすることは難しい。トラッキングセンサおよび偏向センサは、これらのセンサが検知するように設計されたタイプの螺旋状のデータトラックがディスクのラベル面にないため、動作することができない。したがって、ディスクの回転の角速度とディスクの角度方向とを知って精密に制御することは難しい。結果として、ＯＰＵがラベル面に施す画像はいずれも歪んで損なわれるか、画像の解像度が所望であるよりも低いか、またはその両方となる。
【０００８】
ＤＶＤは、同様に作成されるが、いくつかのデータ層を形成するいくつかのポリカーボネートプラスチック層を通常有する。したがって、ＤＶＤのラベルに画像を施すことは、ＣＤのラベルに画像を施す場合に見られるのと同じ多くの問題を伴う。
【０００９】
［概要］
光ディスクドライブは、光ディスクを回転させるスピンドルモータと、光ディスクのラベル領域のコーティングに画像を施すように構成されたＯＰＵとを含む。エンコーダが、光ディスク上に画定されたラベル領域とは別個の領域にある光ディスク上のディスク速度特徴部（disk speed feature）をトラッキングするように構成される。ディスク速度特徴部をトラッキングすることによって、エンコーダは、ラベル領域に画像を施す際に用いるディスク速度データを取得する。
【００１０】
以下の詳細な説明は添付図面を参照する。図面において参照番号の左端の番号は、その参照番号が最初に現れる図を特定する。さらに、図面を通して、同一の参照番号を使用して同様の特徴および構成要素を参照する。
【００１１】
［詳細な説明］
光ディスクは、ディスクのラベル側に画像を施すことを可能にするように構成される。ディスクは、形成されるか、シルクスクリーン印刷されるか、または他の方法で形成されるかもしくは施されうる特徴部を含み、画像を施すプロセス中に、（ディスクのラベル面が光ドライブ内で向いている方向である）ディスク方向と、回転速度と、（ディスクドライブ内で、ディスクの中心から発せられてディスクの周囲の所与の点を通過する光線が指す方向である）角度方向情報とを与える。光ディスクドライブは、この特徴部を監視するエンコーダを含み、それによって、まずディスクの方向を検出し、次にディスク速度および角度方向を監視して、光ディスクのラベル面に画像を施す助けとなる。例示的な一実施態様において、ＯＰＵに対するディスク速度（すなわち、ＯＰＵが半径方向外側に移動する際に常に変化するＲＰＭを結果としてもたらす、媒体がＯＰＵ（光ピックアップユニット）を通過する速度）は、スピンドルモータによって０．２５メートル／秒の±０．０２％未満に保たれる。これにより、６００ｄｐｉ（ドット／インチ）で１／４ピクセル精度の画像を施し、２４００ｄｐｉの有効解像度を得ることが可能となる。部分的にはスピンドルモータの品質の問題のために、また部分的にはＯＰＵに対するディスク速度がＯＰＵの半径方向距離に応じたものであるために、各回転中に複数の間隔でスピンドルモータを調整して、要求される精度を維持することが必要である場合がある。
【００１２】
図１は第１の例示的な光ディスク１００の等角図であり、このディスクは、ディスクの画像側またはラベル側（通常は、データ側の反対側）に画像を施すように構成されている。ディスク１００は、ＣＤ、ＤＶＤまたは同様の光ディスクでありうる。中心穴１０２は、製造プロセスに応じて鏡のような外観（mirrored-appearance）を有していても有していなくてもよい領域１０４によって囲まれる。ラベル領域１０６は、ＯＰＵ書き込み可能な（すなわち、以下でより詳細に示すように、光ピックアップユニットによって書き込み可能である）材料でコーティングされている。画像１０８（テキストやグラフィック等）は、ラベル付けプロセス中にラベル領域１０６に施すことができる。
【００１３】
ラベル付けプロセスは特徴部１１０を読み取ることを含むことができ、これは、まずディスクの方向（すなわち、ディスクの所与の平面がディスクドライブ内でどちらの方向に向いているか）に関する情報を与え、次にディスク速度（角速度または回転速度、すなわちＲＰＭ）およびディスク角度方向に関する情報を与える。例示的な光ディスク１００において、特徴部１１０は、ディスクのラベル側に画像を施す間に観測を可能にするように画定される。通常、特徴部はディスクのラベル側にあるが、代替的な構成では、ディスクのデータ側またはディスク内部の層に特徴部１１０を画定することもできる。
【００１４】
例示的な光ディスク１００の特徴部１１０は、ディスク速度特徴部１１２のリングを含む。（以下で示すように）エンコーダによって検出されると、ディスク速度特徴部１１２は、光ディスク１００の回転速度に関する情報を与える。例示的な光ディスク１００において、ディスク速度特徴部１１２は、高い光反射率および低い光反射率の規則的なパターンを与える間隔で離間した形成エリアを含む。形成ディスク速度特徴部１１２の構造の例示的な細部を図３〜図６に示し、以下により詳細に述べる。一実施態様においてディスク速度特徴部１１２を形成しており、別の実施態様において、印刷するかディスク上へとシルクスクリーン印刷するかまたは他の方法により、この特徴部を製造することができる。
【００１５】
例示的な光ディスク１００の特徴部１１０は、ディスク角度方向特徴部１１４も含む。（以下に示すように）エンコーダによって検出されると、ディスク角度方向特徴部１１４は、回転中の光ディスク１００の角度方向（すなわち、ディスクの中心から発せられてディスクの周囲の所与の点を通過する光線がどの方向を指すか）に関する情報を与える。ディスクの角度方向は、ラベル領域１０６に画像１０８を施す際に重要となる。これは、ディスクの角度方向に関する情報が、画像を施すプロセス中のラベル領域１０６の角度方向に関する情報を示唆するためである。例示的なディスク１００において、ディスク角度方向特徴部１１４は、高い光反射率および低い光反射率の不規則なパターンを与える間隔で離間した形成エリアを含む。形成された特徴部の構造の例示的な細部を図３〜図６に示し、以下により詳細に述べる。別法として、ディスク上にシルクスクリーン印刷もしくは印刷するか、または他の方法により、特徴部１１４を製造することもできる。
【００１６】
光ディスク１００の例示的なディスク角度方向特徴部１１４は、様々なサイズの平坦な光反射エリアによって分離された大きな特徴部１１６および小さな特徴部１１８を含む。このパターンは、不規則であり、および／または、光軸（radial axis）の数について対称でないため、ディスク１００が光ディスクドライブ内で回転している間に特徴部１１４を観測することによってディスク１００の角度方向を判定することができる。例えば、１つの大きな特徴部１１６と複数の小さな特徴部１１８とが存在する場合には、ディスクの角度方向を容易に判定することができる。
【００１７】
図２は、第２の光ディスク２００を直角にみたもの（orthogonal view）であり、ディスク速度特徴部２０２およびディスク角度方向特徴部２０４のさらなる例示的な図を示す。第２のディスク２００のディスク角度方向特徴部２０４は、ＤＶＤに施すのに通常適している。この場合には、ディスク速度特徴部２０２は、エンコーダ４０６（図４）によって読み取ることができ、ディスク角度方向特徴部２０４は、（図７の解説において見られるような）光ディスクドライブ７００のＯＰＵ７１０（光ピックアップユニット）によって読み取ることができる。
【００１８】
ディスク速度特徴部２０２は、ディスク速度特徴部１１２（図１）と同様であるが、多層ＤＶＤディスクの内部層に形成することができる。ディスク角度方向特徴部２０４を同様に形成するか、またはシルクスクリーン印刷もしくは同様の製造プロセスによってディスク角度方向特徴部２０４を作成してもよい。光ディスク２００の中心から任意の所望の半径方向距離にある位置に、ディスク速度特徴部の半径方向内側または半径方向外側で環状にディスク角度方向特徴部２０４を分布させてもよい。図１および図２は、例示的なディスク速度およびディスク角度方向特徴部を示しているが、他の実施態様も可能である。例えば、ディスク速度特徴部およびディスク角度方向特徴部を組み合わせて、２０２および２０４の両方に存在する情報を有する環状の特徴リングにしてもよい。
【００１９】
図３は、（例えば図１の１１２などの）第１の例示的な形成ディスク速度特徴部、または（例えば図１の１１６または１１８などの）形成ディスク角度方向特徴部の細部を示す拡大図である。例えば、例示的な形成された特徴部は、図示のような鋸歯状領域３０２に似せることができる。鋸歯状領域３０２は、光を分散させる傾向があり、それによって反射光の量を大幅に減らす。対照的に、平面を有する反射領域３０４は光を反射させる。この反射光量の対照性により、センサは、以下により詳細に示すように、鋸歯状領域３０２と反射領域３０４とを区別することができる。
【００２０】
図４は、もともと図３に示した鋸歯領域３０２の断面図を示す。このような鋸歯領域を用いて、（例えば図１の形成特徴部１１２、１１６または１１８などの）例示的な形成ディスク速度または角度方向特徴部を形成することができる。鋸歯の表面４０２は、センサまたはエンコーダ４０６によって送られてくる入射光４０４に対して垂直でないため、エンコーダから離れたところに反射光４０８を送る傾向がある。
【００２１】
図４のセンサまたはエンコーダ４０６は、光学、磁気または他の技術に基づくものでありうる。一実施態様において、エンコーダ４０６は、光ディスク１００に光を送り、ディスク速度特徴部１１２の鋸歯状表面３０２や形成ディスク角度方向特徴部１１６、１１８のような反射率の低い領域と、それらの特徴部に隣接するか、またはその間にある反射率の高い領域３０４とを区別するように構成される。一実施態様において、光ピックアップユニット（ＯＰＵ）（図７を参照）によって読み取り可能な領域および／または書き込み可能な領域とは別個に、ディスク１００の中心から一定の半径方向距離を置いてエンコーダ４０６を配置してもよい。エンコーダ４０６は、（非コヒーレントで視準されていない非レーザである）従来の光４０４または（コヒーレントな視準光である）レーザをディスク１００表面に送ることができ、これは反射面３０４に反射されるとエンコーダに戻ってくるが、反射４０８は鋸歯状領域３０２ではエンコーダ４０６に実質的に戻ってこない。
【００２２】
図５および図６は、第２の例示的な形成ディスク速度または角度方向特徴部５０２の拡大された構造の細部を示す概略図であり、特徴部１１２、１１６、１１８を形成するには、この特徴部５０２を複数用いることが適している。形成された特徴部５０２は、ＣＤまたはＤＶＤの一層を形成するポリカーボネートプラスチック内に画定してもよい。形成された特徴部５０２は、光を偏向させる非平面または光偏向特徴部５０４を有する「ピット」でありうる。図５および図６の例において、ピット内の光偏向特徴部５０４は、円錐であるが、入射光に垂直でない表面を有する代替的な構造に置き換えてもよい。（図７の解説でも再度示すように）エンコーダ４０６によって形成された特徴部５０２（ピット）を走査してもよく、このエンコーダ４０６は形成された特徴部５０２内へと光を送る。光偏向特徴部５０４は反射する光をエンコーダ４０６に戻さないため、エンコーダはそれに応じた信号をプロセッサまたはコントローラに送る。
【００２３】
図７は、例示的な光ディスクドライブ７００の概略図であり、特に、形成ディスク速度特徴部１１２（図１）を読み取ってディスク速度の計算を可能にするように構成されたエンコーダ４０６を示している。ディスク角度方向特徴部１１４（図１）を読み取るようにエンコーダ４０６をさらに構成してもよい。別法として、以下に示すように、ＯＰＵ７１０を用いて、ＯＰＵが作用できる範囲内に配置される形成またはシルクスクリーン印刷されたディスク角度方向特徴部２０４（図２）を読み取ってもよい。
【００２４】
情報側７０２を有するディスク１００は、ラベル側７０４をマーキングする配置に向けられている。スピンドルコントローラ７０８によって制御されるディスクまたはスピンドルモータ７０６によってディスク１００を回転させる。ＯＰＵ７１０（光ピックアップユニット）によってディスク１００のラベルエリア１０６（図１）に画像を施す。スレッドモータ７１４およびスレッドコントローラ７１６またはスイッチングデバイスによって移動されるスレッド７１２に載せて、ラベルエリア１０６上で半径方向にＯＰＵ７１０を移動させる。コーティングと反応して画像を形成するレーザビーム７１８によってラベル領域１０６に画像を施す。レーザビーム７１８を生成するレーザ７２０は、コントローラ７２２または同様のスイッチングデバイスによって制御される。
【００２５】
例示的な光ディスクドライブ７００において、エンコーダ４０６は、ＯＰＵ（光ピックアップユニット）７１０によって読み取り可能な領域に対して半径方向内側または外側のディスク上の情報を通常読み出すことができる。例えば、エンコーダ４０６は、ディスク速度特徴部および／またはディスク角度方向特徴部を表すデータ特徴部１１０（図１）を読み取ることができる。有利には、エンコーダ４０６は、ＯＰＵ７１０が光ディスク１００の別の部分でデータを読み出しまたは書き込みするのと同時に、光ディスク１００上の第１の位置からデータを読み出すことができる。
【００２６】
エンコーダ４０６は、光４０４（図４）を送り、反射光量を区別することにより形成された特徴部のあるエリアを形成された特徴部のないエリアと区別してデータを読み出す。エンコーダによって読み取ることのできる例示的な形成された特徴部を図１〜図６に示す。読み取りプロセスの結果として、ディスク方向情報とディスク速度と角度方向情報とを伝える信号が生じる。信号は、エンコーダコントローラ７２４によって解釈されるか、またはコントローラ７２６に直接転送されることができる。
【００２７】
コントローラ７２６は、ソフトウェアまたはファームウェア７２８を実行して、ＯＰＵ７１０とスレッドモータ７１４とスピンドルモータ７０６とエンコーダ４０６との動作全般を制御することができる。ファームウェア７２８のコードは、形成されたディスク速度特徴部１１２および／または形成されたディスク角度方向特徴部１１４を読み取るようにエンコーダ４０６を構成することができる。ファームウェアコードは、ディスク上の通常はラベル領域１０６に形成、印刷、および／またはシルクスクリーン印刷されるディスク角度方向特徴部２０４をＯＰＵ７１０が読み取ることができるようにする。
【００２８】
図８は、ディスク方向情報、ディスク速度情報、および／またはディスク角度方向情報を伝える形成および／またはシルクスクリーン印刷された特徴部１１０（または２０２、２０４等）を有して構成される光ディスク１００に、エンコーダ４０６を有する例示的な光ディスクドライブを用いて画像を施すことができる例示的な方法８００を示すフロー図である。ファームウェア７２８に含まれる制御手順によって、またはコントローラまたはプロセッサ７２６により実行される他のソフトウェアによって、方法８００の要素を実施してもよい。ブロック８０２では、エンコーダ４０６および／またはＯＰＵ７１０によって、ディスク速度特徴部および／またはディスク角度方向特徴部を検出する。これらの特徴部の検出を用いて、ディスク１００が光ディスクドライブ７００内で適切な方向にあるか、またはディスクを裏返すようユーザに頼むべきかどうかを判定することができる。ブロック８０４では、形成されたディスク速度特徴部１１２を検知した結果として生じるエンコーダ出力信号を解釈することによって、ディスク速度データを生成する。エンコーダ４０６は、ディスク速度特徴部を有しないかまたは有するエリアから反射されたかまたは反射されなかった光を検知し、反射が検出されたか否かに応じて信号を生成する。ブロック８０６では、解釈したディスク速度信号、すなわちディスク速度データを用いて、ディスクモータ７０６に適切な命令を送ることによって、ディスク速度を上げるかまたは下げる。一般に、ＯＰＵ７１０がディスクの中心から離れるほど、ディスクの角速度は遅い速度に維持される。さらに、解釈されたディスク速度信号は、ラベルマーキングプロセス中のＯＰＵ７１０の動作を決定するためにも用いられる。ブロック８０８において、ディスク角度方向特徴部１１４をトラッキングして、ディスク角度方向データを生成する。ディスクの角度方向に関する情報を随時与えるディスク角度方向データを、ラベルマーキングプロセスにおいて用いる。ディスク角度方向特徴部は、形成された特徴部１１４またはおそらくはシルクスクリーン印刷された特徴２０４でありうる。ディスク角度方向特徴部は、エンコーダ４０６またはＯＰＵ７１０のいずれかによってトラッキングすることができる。ブロック８０６および８０８は、通常はファームウェア７２８内にあって、画像を施す間にエンコーダからのディスク速度データをＯＰＵと調整する制御手順の機能性を定める。ブロック８１０では、光ディスクのラベル側のコーティングをＯＰＵ７１０によってマーキングする。ＯＰＵ７１０からのレーザ光が、熱および／または光への曝露によって刺激される反応を生じることによって、コーティングにマーキングを行う。ＯＰＵは、ディスク速度特徴部１１２の観測から得られるディスク速度情報と、ディスク角度方向特徴部１１４の観測から得られるディスク角度方向情報とを用いて、ＯＰＵのレーザ７２０をオン・オフする正確な時間を求めるとともに、ＯＰＵ７１０の位置を制御するスレッドモータ７１４の正確な動作を決定する。
【００２９】
図９は、ディスク速度特徴部１１２およびディスク角度方向特徴部１１４を有する光ディスク１００を作成することができる例示的な方法９００を示すフロー図である。手動により、または製造施設内のソフトウェアもしくはファームウェアに含まれる制御手順により、方法９００の要素を実施してもよい。ブロック９０２では、通常は光ディスクのラベル側から読み取られるディスク速度特徴部１１２を光ディスク上に画定する。（ＤＶＤなどの）光ディスクが多層である場合には、ディスク速度特徴部は内部層に形成していてもよい。ブロック９０４に示す第１の代替形態では、（例えば図３および図４の３０２などの）鋸歯状の特徴部の形態によりディスク速度特徴部１１２を形成してよい。ブロック９０６に示す第２の代替形態では、（例えば図５および図６の５０２などの）形成されたピットを、形成された特徴部のないエリアに散在させる。ブロック９０７に示す第３の代替形態では、シルクスクリーンマーキングまたは特徴部のないエリアに、シルクスクリーン印刷エリアを散在させる。
【００３０】
ブロック９０８において、通常はディスクのラベル側から読み取ることのできるディスク角度方向特徴部１１４、２０４等を画定する。ブロック９１０に示す第１の代替形態では、（例えば、特徴２０４に似たシルクスクリーン印刷のマーキングなどの）光学的に読み取り可能な指標を、通常はディスクの外部層に画定することができる。ブロック９１２に示す第２の代替形態では、ディスク角度方向特徴部を光ディスクに形成する。例えば、ディスク角度方向特徴部１１４、２０４を、ＤＶＤの内部層または外部層に形成するか、またはＣＤもしくはＤＶＤの半径方向内側の位置に形成して、エンコーダ４０６によって読み取ってもよい。
【００３１】
ブロック９１４において、光ディスクのラベル側のラベル領域をＯＰＵ書き込み可能材料によりコーティングしてもよい。例えば、熱反応性コーティングを施すことによって、コーティングの反応によりＯＰＵが画像を施せるようにする。
【００３２】
構造的特徴部および／方法ステップに固有の文言により本発明を説明してきたが、添付の特許請求の範囲は、記載した特定の特徴部またはステップに限定されないことが理解されるべきである。特定の特徴部およびステップは、むしろ、本開示を実施するための例示的な形態である。例えば、フロー図のブロックにおいて説明するアクションを他のブロックで説明されるアクションと並行して行ってもよいが、これらのアクションを、交互に行っても、またはアクションを１以上の他のブロックと関連付ける方法により分散させてもよい。さらに、開示した方法の要素は、任意の所望の方法により行われることを意図しているが、コンピュータまたはプロセッサにより読み取り可能であり、コンピュータおよび／またはプロセッサによって実行され、コンピュータまたはプロセッサに読み取り可能な媒体（例えばＲＯＭ、ディスクまたはＣＤ  ＲＯＭ）から通常は読み取りを行うプリンタ内に配置される命令が、本方法の全部または一部を行うのに好ましい手段であることが予期される。さらに、ＣＤおよびＤＶＤの両方を参照してきたが、本明細書中に記載する要素のほとんどは、ディスク全般、特に光ディスクに当てはまる。したがって、ＣＤおよびＤＶＤの参照は例示に過ぎず、このような例は、通常は（例えばＣＤまたはＤＶＤなどの）光ディスクの任意のタイプのディスクに対する変形および／または改良を含む、より大きくより一般的な概念を表す。また、ディスク速度特徴部１１２およびディスク角度方向特徴部１１４を別個のマーキングとして説明してきたが、これらは所望であれば、いくつかの実施態様において組み合わせてもよい。このような組み合わせは、いくつかの応用においてより効果的でありうる。
【図面の簡単な説明】
【００３３】
【図１】例示的なディスク速度特徴部およびディスク角度方向特徴部を示す光ディスクの等角図である。
【図２】ディスク速度特徴部およびディスク角度方向特徴部のさらなる例示的な図を示す第２の光ディスクの直交図である。
【図３】「鋸歯」デザインを有するディスク速度または角度方向特徴部の例示的な細部を示す拡大図である。
【図４】図３の４−４線で切り取った図３の例示的な細部の断面図である。
【図５】第２の例示的なディスク速度および／または角度方向特徴部の拡大図である。
【図６】図５の６−６線で切り取った図５の例示的な細部の断面図である。
【図７】ディスク速度特徴部および／またはディスク角度方向特徴部を読み取って、ディスク速度および／または角度方向の計算をそれぞれ可能にするように構成されたエンコーダを特に示す例示的な光ディスクドライブの概略図である。
【図８】形成されたディスク速度特徴部および／または角度方向特徴部を有して構成された光ディスクに、エンコーダを有する例示的な光ディスクドライブを用いて画像を施すことができる例示的な方法を示すフロー図である。
【図９】ディスク速度特徴部および／または角度方向特徴部を有する光ディスクを作成することができる例示的な方法を示すフロー図である。
【図１】
2006511034.tif 000003
【図２】
2006511034.tif 000004
【図３】
2006511034.tif 000005
【図４】
2006511034.tif 000006
【図５】
2006511034.tif 000007
【図６】
2006511034.tif 000008
【図７】
2006511034.tif 000009
【図８】
2006511034.tif 000010
【図９】
2006511034.tif 000011
【国際調査報告】
2006511034.tif 000012
2006511034.tif 000013